(57)【特許請求の範囲】
【請求項１】
音声に対応して振動する圧電バイモルフ素子により形成された振動子と、
人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、
筐体表面に設けられ、血管の脈動を検出するための赤外線発光素子と受光素子と、
を備え、
前記赤外線発光素子と受光素子とを前記外耳道の挿入方向と直交する方向の筐体表面に帯状に設けたことを特徴とする音声振動出力装置。
【請求項２】
音声に対応して振動する圧電バイモルフ素子により形成された振動子と、
人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、
筐体表面に設けられ、血管の脈動を検出するための電極群と、
を備え、
前記電極群を前記外耳道の挿入方向と直交する方向の筐体表面に帯状に設けたことを特徴とする音声振動出力装置。
【請求項３】
音声に対応して振動する圧電バイモルフ素子により形成された振動子と、
人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、
筐体表面に設けられ、体温を検出するための温度センサと、
を備え、
前記温度センサを前記外耳道の挿入方向と直交する方向の筐体表面に帯状に設けたことを特徴とする音声振動出力装置。
【請求項４】
さらに、体温を検出するための温度センサを前記筐体表面に設けたことを特徴とする請求項１または請求項２に記載の音声振動出力装置。
【請求項５】
前記外耳道の挿入端と対向する面の外周につばを設けたことを特徴とする請求項１から請求項４のいずれか１項に記載の音声振動出力装置。
【発明の詳細な説明】
【技術分野】
【０００１】
本発明は、人体のバイタルデータを取得するとともに、振動により音声を出力する音声振動出力装置に関する。
【背景技術】
【０００２】
従来、無線通信手段と無線通信により得られた音声データを加工するデジタル演算処理手段とデジタル・アナログ変換器とアナログ信号の増幅手段と電源回路とスピーカと音響管を備えるイヤホンが知られている（例えば、特許文献１参照。）。また、ゴムまたは高分子素材から成り、外耳道内に挿入するに適した形状を有する挿入チューブと、その両面に信号線が接続された電極が貼り合わされた圧電音響体とから構成され、平板型の圧電音響体は挿入チューブの内部に斜めに配置されており、積層型と円筒型の音響体に対しては、挿入チューブ内の外耳道の外側の位置に音響を吸収する重りを設け、挿入チューブの鼓膜側はホーン状に開口を設けた圧電式イヤホンが知られている（例えば、特許文献２参照。）。
【先行技術文献】
【特許文献】
【０００３】
【特許文献１】特開２００９−１１８４４４号公報
【特許文献２】特開平０９−２５２４９６号公報
【発明の概要】
【発明が解決しようとする課題】
【０００４】
しかしながら、従来のイヤホンでは通常、電磁誘導を利用した小型電磁スピーカを搭載するため、漏れ磁束による電磁誘導ノイズが発生する。そのため、この電磁誘導ノイズの影響で、センサ精度が悪化するという欠点があり、従来のイヤホンに人体のバイタルデータを取得するためのセンサを併用することが困難であった。
【０００５】
また、従来のセンサは、胸部に巻き付けたり腕に巻き付けたりする事により人体に密着させて各種バイタル情報を取得するため、長時間使いづらいという欠点があった。さらに、従来のセンサは、太陽光などの外光が差し込みやすく、赤外線を使用するバイタル情報の取得が困難なケースがあった。
【０００６】
そこで、本発明は、上述の課題に鑑みてなされたものであり、人体のバイタルデータを取得するとともに、振動により音声を出力する音声振動出力装置を提供することを目的とする。
【課題を解決するための手段】
【０００７】
本発明は、上記の課題を解決するために、以下の事項を提案している。
【０００８】
（１）本発明は、音声に対応して振動する圧電バイモルフ素子により形成された振動子と、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、筐体表面に設けられ、血管の脈動を検出するための赤外線発光素子と受光素子と、を備えたことを特徴とする音声振動出力装置を提案している。
【０００９】
（２）本発明は、（１）の音声振動出力装置について、前記赤外線発光素子と受光素子とを前記外耳道の挿入方向と直交する方向の筐体表面に帯状に設けたことを特徴とする音声振動出力装置を提案している。
【００１０】
（３）本発明は、音声に対応して振動する圧電バイモルフ素子により形成された振動子と、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、筐体表面に設けられ、血管の脈動や筋電位、脳波など生命活動によって発生する微弱な電気信号を検出するための電極群と、を備えたことを特徴とする音声振動出力装置を提案している。
【００１１】
（４）本発明は、（３）の音声振動出力装置について、前記電極群を前記外耳道の挿入方向と直交する方向の筐体表面に帯状に設けたことを特徴とする音声振動出力装置を提案している。
【００１２】
（５）本発明は、音声に対応して振動する圧電バイモルフ素子により形成された振動子と、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、筐体表面に設けられ、体温を検出するための温度センサと、を備えたことを特徴とする音声振動出力装置を提案している。
【００１３】
（６）本発明は、（５）の音声振動出力装置について、前記温度センサを前記外耳道の挿入方向と直交する方向の筐体表面に帯状に設けたことを特徴とする音声振動出力装置を提案している。
【００１４】
（７）本発明は、（１）または（３）の音声振動出力装置について、さらに、体温を検出するための温度センサを前記筐体表面に設けたことを特徴とする音声振動出力装置を提案している。
【００１５】
（８）本発明は、（１）から（７）の音声振動出力装置について、前記外耳道の挿入端と対向する面の外周につばを設けたことを特徴とする音声振動出力装置を提案している。
【発明の効果】
【００１６】
本発明によれば、小型の振動素子を用いることができる構造となっているため、カナル型として外耳道内に注入可能な利点を持ち、この特徴を利用しより人体内部へのセンサ設置を可能とし、より正確なバイタル情報の取得が可能となる。
【００１７】
また、振動イヤホンは動作原理が通常の電磁スピーカとは異なり、コイルが無い為磁界を発生させることがなく、したがって電磁誘導による他デバイスへのノイズが低いという利点がある。したがって、本振動イヤホンにバイタルセンサを搭載する事により、センサーノイズが少ない方法にてバイタル情報が取得可能となる。
【００１８】
また、人体で心臓に近い部分で外光が入りにくい部位は鼻腔と外耳道の２種類だが、鼻腔は呼吸する為に存在するため、異物には極めて強い違和感がある。その点、外耳道は通常の音楽聴収などでカナル型イヤホンとして使われるため、違和感が少なく長時間の装用に耐える。したがって、外耳道奥の頭部中心に近い部分にセンサを設置する事で、より深部の脈波状況が判明する。
【００１９】
また、赤外線センサ自体は、外耳道周辺の血管の個人状態に左右されるため、外周に複数のセンサを設け、比較する事でより良いバイタル情報の取得が可能となる。
【００２０】
また、左右の外耳道内に同時に装着し取得された脈波のデータを比較解析することで、例えば片方の脈波の反射波などが多くなるなど、左右の経路の差から血管の新たな情報が判別可能となる。
【００２１】
また、イヤホン先端部に赤外線体温計を設置すれば、頭部深部の体温が測定可能であり、より素早く人体内で発生している温度上昇を検知可能であり、熱中症などの予防につながる。なお、誤動作防止の為、温度測定中は赤外線の照射を止める事が望ましい。
【図面の簡単な説明】
【００２２】
【図１】本発明の第１の実施形態に係る音声振動出力装置の断面図である。
【図２】本発明の第１の実施形態に係る音声振動出力装置を図１中の矢印Ａ側から見た図である。
【図３】本発明の第１の実施形態に係る音声振動出力装置のブロック図である。
【図４】本発明の第２の実施形態に係る音声振動出力装置の断面図である。
【図５】本発明の第３の実施形態に係る音声振動出力装置の断面図である。
【図６】本発明の第４の実施形態に係る音声振動出力装置の側面図である。
【図７】本発明の第５の実施形態に係る音声振動出力装置の側面図である。
【図８】本発明の第６の実施形態に係る音声振動出力装置の側面図である。
【発明を実施するための形態】
【００２３】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２４】
＜第１実施形態＞
図１から図３を用いて、本実施形態に係る音声振動出力装置について説明する。
なお、図１及び図２を含め、以下に示す各図は、模式的に示した図であり、各部の大きさ、形状は、理解を容易にするために、適宜誇張して示している。
【００２５】
＜音声振動出力装置の機構的構成＞
本実施形態に係る音声振動出力装置は、図１に示すように、振動子１１１と、配線１２０と、挿入部１３０と、貫通路１３１と、筐体部材１４０と、発光素子２１０と、受光素子２２０とから構成されている。この音声振動出力装置は、イヤホンとして用いることができる装置である。
【００２６】
振動子１１１は、挿入部１３０の円筒壁部分に振動可能な状態で固定されて内蔵されており、挿入部１３０と一体化している。また、振動子１１１は、後述する貫通路１３１に沿うように配置されている。振動子１１１の詳細については、後述する。
【００２７】
配線１２０は、振動子１１１と後述する駆動部１５０とを接続するケーブルである。配線１２０の一端は、後述する振動子１１１に接続されている。また、配線１２０の他端は、駆動部１５０へ接続されている。
【００２８】
挿入部１３０は、外周に筐体部材１４０が取り付けられており、筐体部材１４０と共に、人体の外耳道内に挿入可能に形成されている。挿入部１３０は、振動を外耳道及び外耳道に満たされる水や海水、及び、空気に伝える。挿入部１３０は、略円筒形状に形成されており、中央部に貫通路１３１が貫通形成されている。貫通路１３１は、挿入部１３０が外耳道内に挿入された状態においても外耳道を塞がないように外耳道内部と外部とを外耳道内部側から外部側へ向かうほど、断面積が大きくなる断面形状で繋ぐ。また、図２に示すように、この貫通路１３１は、水がその表面張力により侵入を妨げられることなく容易に通過できるように、また外界の音が大きく減衰することのないように、充分に大きな断面形状として略円筒形状の場合直径３．５ｍｍ以上とすることが望ましい。なお、挿入部が円筒形状ではなく、貫通路の断面形状が円形ではない場合には、直径３．５ｍｍの円形の場合と同等以上の断面積を確保するようにすることが望ましい。出願人の検討の結果、この面積以上の断面積を確保すると、本発明の貫通路として必要な機能を発揮することができる。
また、挿入部１３０には、上述したように振動子１１１が内蔵されており、この振動子１１１の振動により振動する。
【００２９】
筐体部材１４０は、挿入部１３０の外周に着脱可能に取り付けられ、外耳道の内壁に直接当節する部材である。筐体部材１４０は、例えば、シリコンゴムや軟質フォーム等により形成されており、肌触りの感触を良好にして装着時に痛くならず快適に装着可能とし、また、脱落防止の作用も有している。
また、筐体部材１４０は、挿入部１３０と共に振動子１１１の振動により振動する。
【００３０】
振動子１１１は、図３に示すアンプ部１５２により増幅された可聴周波数帯域の音響信号に基づいて、駆動部１５０が生成した駆動信号により駆動されて、音響信号に応じた振動を行う。
本実施形態の振動子１１１は、圧電セラミックを用いた圧電バイモルフ素子であり、ベンディングモード（撓み振動）で駆動する。振動子１１１に使用する圧電材料は、高変位な圧電材料を積層した素子であり、アンプから音響信号に忠実な電圧を圧電素子へ印加することにより、振動子１１１は、（結果として）音響信号を再現するように振動する。
本実施形態では、図１に示すように、挿入部１３０の筒方向に沿って振動子１１１がモールドされている。振動子１１１の固定方法は、振動子１１１を破断しないよう、人の押し圧力で生じる曲げに強い樹脂（例えば、アクリル樹脂、エポキシ樹脂等）で固定し、防水絶縁に対応するよう軟質樹脂（シリコーン等）でモールドするとよい。
【００３１】
発光素子２１０と受光素子２２０とは、筐体部材１４０上に接着等の方法で設けられている。発光素子２１０と受光素子２２０とは、対をなし、発光素子２１０から血管に向けて照射された光の反射波を受光素子２２０が受光する。そして、図３に示すコントロールユニット１８０内の検出部１８１が発光素子２１０からの照射波と受光素子２２０からの受光波とから、血管の収縮運動（脈波）を検出する。具体的には、一例として、反射波を微分することにより、脈波を検出する。また、両方の耳で検出した検出結果を用いて、これらの差分を求めることにより外乱ノイズを除去することもできる。さらに、両方の耳で検出した検出結果を比較することにより、脳内のおおまかな異常を推測することもできる。なお、発光素子２１０は、赤外線ＬＥＤ、赤外線レーザ等でもよく、受光素子２２０は、フォトトランジスタ、フォトダイオード等でもよい。また、発光素子２１０と受光素子２２０とは、固有の部材で構成してもよいし、結合して一つの部材として構成してもよい。なお、赤外光は、皮膚表面では全反射するため、受光素子は、より正確に人体内部から戻ってくる赤外線を取得するため、偏光フィルタ等で、不要な光をカットすることが好ましい。また、発光素子は、受光素子が、より正確に人体内部から戻ってくる赤外線を取得するために、偏光フィルタ等を備えて、不要な光をカットすることが好ましい。また、発光素子及び受光素子はより正確に人体内部から跳ね返って来る赤外線を取得するため、双方に偏光フィルタ等を備え、不要な光をカットすることが好ましい。  
【００３２】
＜音声振動出力装置の電気的構成＞
本実施形態に係る音声振動出力装置は、図１に示すように、駆動部１５０と、発光素子２１０と受光素子２２０とからなるセンサ１７０とから構成されている。また、有線または無線によって、再生機器１６０やコントロールユニット１８０と接続されている。
【００３３】
駆動部１５０は、イコライザ部１５１と、アンプ部１５２とを備え、音響信号を振動子１１１の駆動に用いる電気信号へ変換する。また、図示していないが、駆動部１５０には、音声振動出力装置１００の電源となる電池が設けられている。本実施形態の音声振動出力装置１００は、圧電バイモルフ素子を振動子１１１に用いているので、消費電力が少なく、電池も小型のもので充分である。
【００３４】
イコライザ部１５１は、周波数イコライジングを行う。イコライザ部１５１は、再生機器１６０の出力部１６１から得た音響信号に、周波数イコライジングを行って、アンプ部１５２へ送る。本実施形態では、イコライザ部１５１は、２〜５ｋＨｚの周波数帯域の音を抑制するように周波数イコライジングを行う。２〜５ｋＨｚの周波数帯域の音は、音漏れとして耳に付きやすい。よって、イコライザ部１５１は、２〜５ｋＨｚの周波数帯域の出力を抑制することにより、音漏れを軽減する音漏れ軽減機能として作用する。また、イコライザ部１５１は、水中での使用と陸上での使用とで周波数特性を調整して、水中、陸上のそれぞれの環境下において聞き取りやすい音声振動伝達を行うようにしてもよい。
【００３５】
アンプ部１５２は、イコライザ部１５１から送られた音響信号を増幅して振動子１１１へ伝える。
【００３６】
コントロールユニット１８０は、検出部１８１と、通信部１８２とから構成されている。通信部１８２は、検出部１８１が検出した脈波データを通信網を介して、外部サーバに送信する。また、表示部を備えている場合には、外部サーバにおける判定結果を受信し、これを表示部に表示してもよい。また、外部サーバにおける判定結果を受信し、この判定結果をユーザのスマートフォンに送信するようにしてもよい。
【００３７】
以上説明したように、本実施形態によれば、小型の振動素子を用いることができる構造となっているため、カナル型として外耳道内に注入可能な利点を持ち、この特徴を利用しより人体内部へのセンサ設置を可能とし、より正確なバイタル情報の取得が可能となる。
また、振動イヤホンは動作原理が通常の電磁スピーカとは異なり、コイルが無い為磁界を発生させることがなく、したがって電磁誘導による他デバイスへのノイズが低いという利点がある。したがって、本振動イヤホンにバイタルセンサを搭載する事により、センサーノイズが少ない方法にてバイタル情報が取得可能となる。また、人体で心臓に近い部分で外光が入りにくい部位は鼻腔と外耳道の２種類だが、鼻腔は呼吸する為に存在するため、異物には極めて強い違和感がある。その点、外耳道は通常の音楽聴収などでカナル型イヤホンとして使われるため、違和感が少なく長時間の装用に耐える。したがって、外耳道奥の頭部中心に近い部分にセンサを設置する事で、より深部の脈波状況が判明する。
また、赤外線センサ自体は、外耳道周辺の血管の個人状態に左右されるため、外周に複数のセンサを設け、比較する事でより良いバイタル情報の取得が可能となる。
また、左右の外耳道内に同時に装着し解析することで、脈波の差が判明するため、例えば血管内で脈波の反射などが多くなるなど、左右の経路の差から血管の新たな情報が判別可能となる。
【００３８】
＜第２実施形態＞
図４を用いて、本実施形態に係る音声振動出力装置について説明する。
本実施形態に係る音声振動出力装置は、第１の実施形態に対して、発光素子と受光素子とからなるセンサを電極に置き換えたものである。なお、音声振動出力装置の構造は、第１の実施形態と同様であるため、その詳細な説明は、省略する。
【００３９】
電極２３０、２４０は、医療機関等で心電図の測定に用いられる電極であり、血管が収縮する際の筋電圧を測定する。測定された筋電圧情報は、コントロールユニット１８０内の検出部１８１に送られ、脈波が検出される。通信部１８２は、検出部１８１が検出した脈波データを通信網を介して、外部サーバに送信する。また、表示部を備えている場合には、外部サーバにおける判定結果を受信し、これを表示部に表示してもよい。また、外部サーバにおける判定結果を受信し、この判定結果をユーザのスマートフォンに送信するようにしてもよい。
【００４０】
＜第３実施形態＞
図５を用いて、本実施形態に係る音声振動出力装置について説明する。
本実施形態に係る音声振動出力装置は、第１、第２の実施形態に対して、発光素子と受光素子とからなるセンサ、電極からなるセンサを温度センサに置き換えたものである。なお、音声振動出力装置の構造は、第１の実施形態と同様であるため、その詳細な説明は、省略する。
【００４１】
温度センサ２５０は、体温に関するデータを測定する。ここで、温度センサ２５０が赤外線センサ２５１である場合には、図５に示すように、筐体表面で、かつ、挿入方向の先端部に設置される。測定された体温に関する情報は、コントロールユニット１８０内の検出部１８１に送られ、体温が検出される。通信部１８２は、検出部１８１が検出した体温データを通信網を介して、外部サーバに送信する。また、表示部を備えている場合には、外部サーバにおける判定結果を受信し、これを表示部に表示してもよい。また、外部サーバにおける判定結果を受信し、この判定結果をユーザのスマートフォンに送信するようにしてもよい。なお、本実施形態では、筐体の一部に温度センサを設ける例について、説明したが、外耳道の挿入方向と直交する方向の筐体表面に帯状に設けてもよい。このような構造とすることにより、温度センサの位置を気にせずに挿入しても、確実に体温を検出することができる。
【００４２】
＜第４実施形態＞
図６を用いて、本実施形態に係る音声振動出力装置について説明する。
本実施形態に係る音声振動出力装置は、第１の実施形態の発光素子と受光素子とからなるセンサを外耳道の挿入方向と直交する方向の筐体表面に帯状に設けたものである。なお、音声振動出力装置の構造は、第１の実施形態と同様であるため、その詳細な説明は、省略する。
【００４３】
発光素子２１１と受光素子２２１とからなるセンサを外耳道の挿入方向と直交する方向の筐体表面に帯状に設けることにより、発光素子と受光素子とからなるセンサの位置を気にせずに挿入しても、確実に脈波を検出することができる。
【００４４】
＜第５実施形態＞
図７を用いて、本実施形態に係る音声振動出力装置について説明する。
本実施形態に係る音声振動出力装置は、第１の実施形態の発光素子と受光素子とからなるセンサあるいは、第２の実施形態の電極からなるセンサを筐体の上下に対向する位置に設け、さらに、挿入端部に温度センサを設けたものである。なお、音声振動出力装置の構造は、第１の実施形態と同様であるため、その詳細な説明は、省略する。
【００４５】
このように、発光素子２１２Ａ、２１２Ｂと受光素子２２２Ａ、２２２Ｂとからなるセンサあるいは、電極からなるセンサを筐体の上下に対向する位置に設け、さらに、挿入端部に温度センサ２５１Ａ、２５１Ｂを設けることにより、脈波と体温を検出することができる。なお、消費電力の観点からそれぞれのセンサを間欠的に動作させてもよいし、交互に動作させてもよい。
【００４６】
＜第６実施形態＞
図８を用いて、本実施形態に係る音声振動出力装置について説明する。
本実施形態に係る音声振動出力装置は、第１から第５の実施形態に係る音声振動出力装置の外耳道の挿入端と対向する面の外周につば１４１を設けている。このような構造にすることにより、センサと血管との位置関係を常に適切な状態にすることができる。
【００４７】
以上、この発明の実施形態につき、図面を参照して詳述してきたが、具体的な構成はこの実施形態に限られるものではなく、この発明の要旨を逸脱しない範囲の設計等も含まれる。
【００４８】
なお、第１の実施形態において、挿入部１３０には、筐体部材１４０を設けた例を挙げて説明した。これに限らず、例えば、挿入部は、筐体部材を設けずに直接外耳道内に接触するようになっていてもよい。
【００４９】
また、第１の実施形態において、音声振動出力装置１００は、再生機器１６０と有線接続されている例を挙げて説明した。これに限らず、例えば、音声振動出力装置への音響信号の伝達を無線により行うようにしてもよい。
【００５０】
また、第１の実施形態において、貫通路（１３１）への水の侵入を容易にするため、超親水性の表面コーティングを貫通路面に施してもよい。また、水中から陸上に移動したときに排水を容易にするため、装置外装面全体又は装置外装面の一部まで貫通路面と同様の超親水性コーティングを施し、超親水性を持つ面が貫通路面と連続するようにしてもよい。さらに、超親水コーティングを施した貫通路面の貫通する方向に一筋の撥水性コーティングを施すこともよい。さらに、親水性と撥水性を高めるため貫通路面を粗く表面処理を施してもよい。
【符号の説明】
【００５１】
１００    音声振動出力装置
１１１    振動子
１２０    配線
１３０    挿入部
１３１    貫通路
１４０    筐体部材
１５０    駆動部
１５１    イコライザ部
１５２    アンプ部
１６０    再生機器
１６１    出力部
１７０    センサ
１８０    コントロールユニット
１８１    検出部
１８２    通信部
２１０    発光素子
２１１    発光素子
２１２Ａ  発光素子
２１２Ｂ  発光素子
２２０    受光素子
２２１    受光素子
２２２Ａ  受光素子
２２２Ｂ  受光素子
２３０    電極
２４０    電極
２５０    温度センサ
２５１    温度センサ
２５１Ａ  温度センサ
２５１Ｂ  温度センサ
【図１】
0006355503.tif 000002
【図２】
0006355503.tif 000003
【図３】
0006355503.tif 000004
【図４】
0006355503.tif 000005
【図５】
0006355503.tif 000006
【図６】
0006355503.tif 000007
【図７】
0006355503.tif 000008
【図８】
0006355503.tif 000009